(57)【要約】【課題】架線金具取替作業および架空地線延線作業を続けて実施する際の工具などの数量および作業者の負担を軽減することができる架空地線用架線金具取替・延線兼用工具を提供する。【解決手段】架線金具取替・延線兼用工具１０を鉄塔の腕金２に取り付けるための工具取付手段１１，１２，１３1，１３2と、架空地線１を載置するための第１および第２の金車１７1，１７2と、工具取付手段１１，１２，１３1，１３2と第１および第２の金車１７1，１７2との間にそれぞれ取り付けられるとともに第１および第２の金車１７1，１７2を上下方向にそれぞれ移動させるための第１および第２の金車上下方向移動手段１４1，１４2と、第１および第２の金車１７1，１７2間に取り付けられるとともに第１および第２の金車１７1，１７2を同時に左右逆方向に移動させるための金車左右逆方向移動手段１８とを具備する。【選択図】図１
2016103870.tif 000002
【特許請求の範囲】
【請求項１】
架空地線懸垂装置の架線金具取替作業および架空地線延線作業を続けて実施する際に使用するための架空地線用架線金具取替・延線兼用工具（１０）であって、
前記架空地線用架線金具取替・延線兼用工具を鉄塔の腕金（２）に取り付けるための工具取付手段（１１，１２，１３1，１３2）と、
架空地線（１）を載置するための第１および第２の金車（１７1，１７2）と、
前記工具取付手段と前記第１および第２の金車との間にそれぞれ取り付けられた、かつ、該第１および第２の金車を上下方向にそれぞれ移動させるための第１および第２の金車上下方向移動手段（１４1，１４2）と、
前記第１および第２の金車間に取り付けられた、かつ、該第１および第２の金車を同時に左右逆方向に移動させるための金車左右逆方向移動手段（１８；２１）と、
を具備することを特徴とする、架空地線用架線金具取替・延線兼用工具。
【請求項２】
前記工具取付手段が、水平アーム（１１）を備え、
前記第１および第２の金車上下方向移動手段が、
ラチェット操作により第１の上側および下側ターンバックルボルトが伸縮するように構成された、かつ、該第１の上側ターンバックルボルトの上端部が前記水平アームの左端部に水平アーム垂直軸を中心に回転可能に取り付けられた第１のターンバックル（１４1）と、
ラチェット操作により第２の上側および下側ターンバックルボルトが伸縮するように構成された、かつ、該第２の上側ターンバックルボルトの上端部が前記水平アームの右端部に前記水平アーム垂直軸を中心に回転可能に取り付けられた第２のターンバックル（１４2）と、
前記第１および第２の下側ターンバックルボルトの下端部に上端部が前記水平アーム垂直軸を中心に回転可能にそれぞれ取り付けられた第１および第２の連結アーム（１５1，１５2）と、
該第１および第２の連結アームの下端部にそれぞれ取り付けられた第１および第２の金車取付部材（１６1，１６2）とを備え、
前記第１および第２の金車が、前記第１および第２の金車取付部材に前記水平アーム垂直軸を中心に回転可能にそれぞれ取り付けられている、
ことを特徴とする、請求項１記載の架空地線用架線金具取替・延線兼用工具。
【請求項３】
前記金車左右逆方向移動手段が、軸部のボルト頭部側の端部が軸方向に移動可能に前記第１の金車に取り付けられるとともに該軸部の先端部が前記第２の金車に固定された金車連結ボルト（１８）、または、右上側および右下側アームの連結部が前記第１の金車に取り付けられた、かつ、左上側および左下側アームの連結部が前記第２の金車に取り付けられた、かつ、該右下側および左下側アームの連結部が該右上側および左上側アームの連結部に向かって移動可能とされた金車連結ジャッキ（２１）であることを特徴とする、請求項１または２記載の架空地線用架線金具取替・延線兼用工具。
【請求項４】
前記工具取付手段が、第１および第２の矩形棒と第１の取付部材とを備えた第１の取付アーム（１３1）と、第３および第４の矩形棒と第２の取付部材とを備えた第２の取付アーム（１３2）とをさらに具備し、
前記第１の取付アームの前記第１の矩形棒の下端部と該第１の取付アームの前記第２の矩形棒の上端部とが前記水平アーム垂直軸を中心に回転可能に連結されており、
前記第１の取付アームの前記第１の取付部材が、該第１の取付アームの前記第２の矩形棒の下端部に前記水平アーム垂直軸を中心に回転可能に取り付けられているとともに、左側面に前記腕金を挿入するための第１の挿入孔が形成されており、
前記第２の取付アームの前記第３の矩形棒の下端部と該第２の取付アームの前記第４の矩形棒の上端部とが前記水平アーム垂直軸を中心に回転可能に連結されており、
前記第２の取付アームの前記第２の取付部材が、該第２の取付アームの前記第４の矩形棒の下端部に前記水平アーム垂直軸を中心に回転可能に取り付けられているとともに、右側面に前記腕金を挿入するための第２の挿入孔が形成されている、
ことを特徴とする、請求項２または３記載の架空地線用架線金具取替・延線兼用工具。
【発明の詳細な説明】
【技術分野】
【０００１】
本発明は、架空地線懸垂装置の架線金具取替作業および架空地線延線作業を続けて実施する際に使用するのに好適な架空地線用架線金具取替・延線兼用工具に関する。
【背景技術】
【０００２】
従来、超高圧系送電線の架空地線懸垂装置１１０の架線金具取替作業は、一般的には、２組の電線把持用工具１２１およびチェーンブロック１２２を使用する相取り工法と呼ばれる工法を用いて実施されている。
たとえば、図５（ａ）に示すように、鉄塔の腕金２を挟んで両側に延びる架空地線１にそれぞれ宙乗りした２人の作業員が電線把持用工具１２１を架空地線１に取り付け、腕金２に予め固定しておいたワイヤーロープ１２３にチェーンブロック１２２の一端を連結するとともにチェーンブロック１２２の他端を電線把持用工具１２１に固定し、チェーンブロック１２２を取り込んで架空地線１に掛っている力をチェーンブロック１２２に移して架線金具１１１を遊ばせたのち、架線金具１１１を取り替えている。
【０００３】
また、架空地線延線作業でも、図５（ｂ）に示すように、架線金具取替作業と同様に２組の電線把持用工具１２１およびチェーンブロック１２２を使用して架空地線１を遊ばせ、架線金具１１１を取り外して延線用金車１３１を腕金２に取り付けたのち、架空地線１を延線用金車１３１に載せ替えている。
【０００４】
なお、下記の特許文献１には、作業員の負担を軽減しながらスムーズに安定して吊上げ作業を行うことができるように、腕金に固定される台座部と、台座部上に設けられるとともに上端が上下動可能なジャッキと、ジャッキによって上下動可能に支持された水平アームと、水平アームと架空地線とを連結する連結体とを備え、連結体が、水平アームの両端に取り付けられ、その下端が懸垂装置を挟むように架空地線に連結され、ジャッキを操作してその上端を上昇させることで架空地線を真上に吊り上げるようにした架線吊り上げ装置が開示されている。
また、下記の特許文献２には、一方の鉄塔側の地上にドラム架台、延線機、切断機および圧縮機を設置するとともに他方の鉄塔側の地上にウインチおよび巻取り機を設置し、延線機でドラム架台から電線を繰り出し、圧縮機で所定の長さに切断し、端部にクランプを装着して圧縮機で接続し、ウインチで電線を牽引し、クランプが金車装置を通るときに昇降金車および２つの側方金車に接触しないように昇降金車を昇降操作し、電線が２本の鉄塔間に延線されると端部のクランプを碍子を介して各鉄塔に係止することにより、クランププロテクタを用いないで済むようにした電線の延線工法が開示されている。
【先行技術文献】
【特許文献】
【０００５】
【特許文献１】特開２００５−１８４９２７号公報
【特許文献２】特開平７−３３６８５２号公報
【発明の概要】
【発明が解決しようとする課題】
【０００６】
しかしながら、従来の架線金具取替作業および架空地線延線作業では、電線把持用工具１２１、チェーンブロック１２２、ワイヤーロープ１２３および延線用金車１３１が必要であり工具などの数量が多いという問題があった。
また、この２つの作業を別々の日に実施する場合には特に問題はないが、この２つの作業を続けて実施する場合には、架空地線１を延線用金車１３１に載せ替える必要があるため、手間が掛かるとともに作業者の負担も増加するという問題があった。
【０００７】
本発明の目的は、架線金具取替作業および架空地線延線作業を続けて実施する際の工具などの数量および作業者の負担を軽減することができる架空地線用架線金具取替・延線兼用工具を提供することにある。
【課題を解決するための手段】
【０００８】
本発明の架空地線用架線金具取替・延線兼用工具は、架空地線懸垂装置の架線金具取替作業および架空地線延線作業を続けて実施する際に使用するための架空地線用架線金具取替・延線兼用工具（１０）であって、前記架空地線用架線金具取替・延線兼用工具を鉄塔の腕金（２）に取り付けるための工具取付手段（１１，１２，１３1，１３2）と、架空地線（１）を載置するための第１および第２の金車（１７1，１７2）と、前記工具取付手段と前記第１および第２の金車との間にそれぞれ取り付けられた、かつ、該第１および第２の金車を上下方向にそれぞれ移動させるための第１および第２の金車上下方向移動手段（１４1，１４2）と、前記第１および第２の金車間に取り付けられた、かつ、該第１および第２の金車を同時に左右逆方向に移動させるための金車左右逆方向移動手段（１８；２１）とを具備することを特徴とする。
ここで、前記工具取付手段が、水平アーム（１１）を備え、前記第１および第２の金車上下方向移動手段が、ラチェット操作により第１の上側および下側ターンバックルボルトが伸縮するように構成された、かつ、該第１の上側ターンバックルボルトの上端部が前記水平アームの左端部に水平アーム垂直軸を中心に回転可能に取り付けられた第１のターンバックル（１４1）と、ラチェット操作により第２の上側および下側ターンバックルボルトが伸縮するように構成された、かつ、該第２の上側ターンバックルボルトの上端部が前記水平アームの右端部に前記水平アーム垂直軸を中心に回転可能に取り付けられた第２のターンバックル（１４2）と、前記第１および第２の下側ターンバックルボルトの下端部に上端部が前記水平アーム垂直軸を中心に回転可能にそれぞれ取り付けられた第１および第２の連結アーム（１５1，１５2）と、該第１および第２の連結アームの下端部にそれぞれ取り付けられた第１および第２の金車取付部材（１６1，１６2）とを備え、前記第１および第２の金車が、前記第１および第２の金車取付部材に前記水平アーム垂直軸を中心に回転可能にそれぞれ取り付けられていてもよい。
前記金車左右逆方向移動手段が、ボルト頭部が軸方向に移動可能に前記第１の金車に取り付けられるとともに軸部の先端部が前記第２の金車に固定された金車連結ボルト（１８）、または、右上側および右下側アームの連結部が前記第１の金車に取り付けられた、かつ、左上側および左下側アームの連結部が前記第２の金車に取り付けられた、かつ、該右下側および左下側アームの連結部が該右上側および左上側アームの連結部に向かって移動可能とされた金車連結ジャッキ（２１）であってもよい。
前記工具取付手段が、第１および第２の矩形棒と第１の取付部材とを備えた第１の取付アーム（１３1）と、第３および第４の矩形棒と第２の取付部材とを備えた第２の取付アーム（１３2）とをさらに具備し、前記第１の取付アームの前記第１の矩形棒の下端部と該第１の取付アームの前記第２の矩形棒の上端部とが前記水平アーム垂直軸を中心に回転可能に連結されており、前記第１の取付アームの前記第１の取付部材が、該第１の取付アームの前記第２の矩形棒の下端部に前記水平アーム垂直軸を中心に回転可能に取り付けられているとともに、左側面に前記腕金を挿入するための第１の挿入孔が形成されており、前記第２の取付アームの前記第３の矩形棒の下端部と該第２の取付アームの前記第４の矩形棒の上端部とが前記水平アーム垂直軸を中心に回転可能に連結されており、前記第２の取付アームの前記第２の取付部材が、該第２の取付アームの前記第４の矩形棒の下端部に前記水平アーム垂直軸を中心に回転可能に取り付けられているとともに、右側面に前記腕金を挿入するための第２の挿入孔が形成されていてもよい。
【発明の効果】
【０００９】
本発明の架空地線用架線金具取替・延線兼用工具は、以下に示す効果を奏する。
（１）１つの工具で架線金具取替作業および架空地線延線作業を実施することができるとともに、架空地線を延線用金車に載せ替えることなく架空地線延線作業を実施することができるため、架線金具取替作業および架空地線延線作業を続けて実施する際の工具などの数量および作業者の負担を軽減することができる。
（２）架線金具の取替時間を短縮することができるとともに、作業員の疲労を軽減することができる。
（３）工具などの数量を減らせるため、運搬重量の軽減を図ることができる。
【図面の簡単な説明】
【００１０】
【図１】本発明の一実施例による架空地線用架線金具取替・延線兼用工具１０の構成を示す図であり、（ａ）は架空地線用架線金具取替・延線兼用工具１０の正面図であり、（ｂ）は第１の金車取付部材１６1および第１の金車１７1の部分の右側面図である。
【図２】図１に示した架空地線用架線金具取替・延線兼用工具１０の使用方法について説明するための正面図である。
【図３】架空地線１の取付角が前後で大きく違う場合の図１に示した架空地線用架線金具取替・延線兼用工具１０の使用方法について説明するための正面図である。
【図４】図１に示した金車連結ボルト１８の代わりに金車連結ジャッキ２１を使用した架空地線用架線金具取替・延線兼用工具１０の構成を示す正面図である。
【図５】従来の架線金具取替作業および架空地線延線作業について説明するための図であり、（ａ）は従来の架線金具取替作業について説明するための図であり、（ｂ）は従来の架空地線延線作業について説明するための図である。
【発明を実施するための形態】
【００１１】
上記の目的を、架空地線を載置するための第１および第２の金車を第１および第２の金車上下方向移動手段で上下方向にそれぞれ移動可能にするとともに金車左右逆方向移動手段で同時に左右逆方向に移動可能にすることにより実現した。
【実施例１】
【００１２】
以下、本発明の架空地線用架線金具取替・延線兼用工具の実施例について図面を参照して説明する。
なお、以下の説明では、図１紙面表側、裏側、上側、下側、右側および左側を表側、裏側、上側、下側、右側および左側とする。
【００１３】
本発明の一実施例による架空地線用架線金具取替・延線兼用工具１０（以下、「架線金具取替・延線兼用工具１０」と称する。）は、図１（ａ）に示すように、水平アーム１１と、支え爪１２と、第１および第２の取付アーム１３1，１３2と、第１および第２のターンバックル１４1，１４2と、第１および第２の連結アーム１５1，１５2と、第１および第２の金車取付部材１６1，１６2と、第１および第２の金車１７1，１７2と、金車連結ボルト１８とを具備する。
【００１４】
ここで、水平アーム１１は、横長の矩形板の中央部（第１および第２のターンバックル１４1，１４2間の部分）の上下部分が表面側に向かって略直角に曲げられた形状を有する。
以下では、水平アーム１１の中央部の表面側に向かって略直角に曲げられた上部分を「水平アーム１１の上面部」と称し、水平アーム１１の中央部の表面側に向かって略直角に曲げられた下部分を「水平アーム１１の下面部」と称する。
【００１５】
支え爪１２は、鉄塔の腕金２（図５（ａ）参照）の厚さよりも若干大きい間隔で互いに対向する矩形板状の２本の爪を備え、２本の爪が水平アーム１１から下方に略垂直に突出するとともに水平アーム垂直軸（水平アーム１１の表面に対して垂直な軸）を中心に回転可能（すなわち、図１（ａ）紙面に向かって時計回りおよび反時計回りに回転可能）なように水平アーム１１の裏面の中央部に取り付けられている。
【００１６】
第１の取付アーム１３1は、２本の矩形棒と、矩形板状の取付部材とを備える。第１の取付アーム１３1の一方の矩形棒の下端部と他方の矩形棒の上端部とは、水平アーム垂直軸を中心に回転可能に連結されている。第１の取付アーム１３1の取付部材は、第１の取付アーム１３1の他方の矩形棒の下端部に水平アーム垂直軸を中心に回転可能に取り付けられているとともに、左側面に腕金２を挿入して架線金具取替・延線兼用工具１０を腕金２に取り付けるための挿入孔が形成されている。
同様に、第２の取付アーム１３2は、２本の矩形棒と、矩形板状の取付部材とを備える。第２の取付アーム１３2の一方の矩形棒の下端部と他方の矩形棒の上端部とは、水平アーム垂直軸を中心に回転可能に連結されている。第２の取付アーム１３2の取付部材は、第２の取付アーム１３2の他方の矩形棒の下端部に水平アーム垂直軸を中心に回転可能に取り付けられているとともに、右側面に腕金２を挿入して架線金具取替・延線兼用工具１０を腕金２に取り付けるための挿入孔が形成されている。
また、第１の取付アーム１３1は、一方の矩形棒の上端部が水平アーム１１の上面部および下面部を垂直に貫通してナットによって水平アーム１１に取り付けられている。
同様に、第２の取付アーム１３2は、一方の矩形棒の上端部が水平アーム１１の上および下面部を垂直に貫通してナットによって水平アーム１１に取り付けられている。
【００１７】
第１および第２のターンバックル１４1，１４2は、第１および第２の金車１７1，１７2を上下方向にそれぞれ移動させるためのものであり、ラチェット操作により上側および下側ターンバックルボルトが伸縮するように構成されているとともに、上側ターンバックルボルトの上端部が水平アーム１１の左および右端部に水平アーム垂直軸を中心に回転可能にそれぞれ取り付けられている。
【００１８】
第１および第２の連結アーム１５1，１５2は、矩形棒状の形状を有するとともに、上端部が第１および第２のターンバックル１４1，１４2の下側ターンバックルボルトの下端部に水平アーム垂直軸を中心に回転可能にそれぞれ取り付けられている。
【００１９】
第１の金車取付部材１６1は、図１（ｂ）に示すように、側面視下向きコの字状の形状を有し、上面部の中央部が第１の連結アーム１５1の下端部に取り付けられている。
同様に、第２の金車取付部材１６2は、側面視下向きコの字状の形状を有し、上面部の中央部が第２の連結アーム１５2の下端部に取り付けられている。
【００２０】
第１の金車１７1は、図１（ｂ）に示すように架空地線１を載置し易いように外周面が凹面とされた円柱状の形状を有し、第１の金車取付部材１６1の前面部および裏面部の下端部の中央部に両端部がそれぞれ取り付けられた支持軸に水平アーム垂直軸を中心に回転可能に軸支されている。
同様に、第２の金車１７2は、架空地線１を載置し易いように外周面が凹面とされた円柱状の形状を有し、第２の金車取付部材１６2の前面部および裏面部の下端部の中央部に両端部がそれぞれ取り付けられた支持軸に水平アーム垂直軸を中心に回転可能に軸支されている。
また、第１および第２の金車１７1，１７2としてたとえば直径３００ｍｍ程度の金車を使用するが、金車を２個使用することで抱角を大きくすることができるため、曲げ半径に制限があるＯＰＧＷ（Optical fiber composite overhead ground wire）なども延線することができる。
さらに、第１および第２の金車１７1，１７2同士を引き付けることにより、架空地線１のウエイトの通過を問題なく行うことができる。
【００２１】
金車連結ボルト１８は、第１および第２の金車１７1，１７2を同時に左右逆方向に移動させるためのものである。
そのため、金車連結ボルト１８の軸部のボルト頭部側の端部（以下、「金車連結ボルト１８の軸部の末端部」と称する。）が軸方向に移動可能に第１の金車１７に取り付けられるとともに軸部の先端部（ボルト頭部と反対側の端部）が第２の金車１７2に固定されている。
すなわち、金車連結ボルト１８の軸部の末端部は、裏面部が第１の金車取付部材１６1の前面部に取り付けられた矩形板状部材の中央部に形成された貫通孔を貫通しているとともに、金車連結ボルト１８の軸部のボルト頭部側には雄ネジが切られており、第１の金車取付部材１６1の矩形板状部材の貫通孔には金車連結ボルト１８の雄ネジと螺合する雌ネジが切られている。
また、金車連結ボルト１８の軸部の先端部は、第２の金車取付部材１６2の前面部に取り付けられた矩形板状部材の中央部に形成された貫通孔を貫通しているとともに、軸部に取り付けられたナットで抜けないようにされている。なお、金車連結ボルト１８の軸部の末端部には雄ネジが切られておらず、第２の金車取付部材１６2の矩形板状部材の貫通孔にも雌ネジが切られていない。
【００２２】
次に、架空地線懸垂装置の架線金具取替作業および架空地線延線作業を続けて実施する際の架線金具取替・延線兼用工具１０の使用方法について、図２（ａ）〜（ｃ）および図３を参照して説明する。
作業員は、図２（ａ）に示すように、取り替える架空地線懸垂装置１１０が取り付けられた鉄塔の腕金２（正面視逆Ｔ字状の形状を有する。）の縦部材の上端部を架線金具取替・延線兼用工具１０の支え爪１２の２本の爪の間に挿入したのち、第１および第２の取付アーム１３1，１３2の取付部材の挿入孔に腕金２の横部材の左および右端部をそれぞれ挿入して架線金具取替・延線兼用工具１０を腕金２に取り付ける。
その後、作業員は、架空地線１を第１および第２の金車１７1，１７2に載置する。
【００２３】
続いて、作業員は、図２（ｂ）に矢印で示すようにラチェット操作により第１および第２のターンバックル１４1，１４2の上側および下側ターンバックルボルトを縮ませて架空地線１に掛っている力を架線金具取替・延線兼用工具１０に移し、架空地線懸垂装置１１０の架線金具１１１が遊んだことを確認すると、この架線金具１１１を腕金２から取り外す。
【００２４】
その後、作業員は、図２（ｃ）に示すように、金車連結ボルト１８をラチェットスパナなどで回して第１および第２の金車１７1，１７2を互いに接触するまで引き付けたのち、架空地線１の延線作業を開始する。
【００２５】
架空地線１の延線作業が終了すると、作業員は、金車連結ボルト１８をラチェットスパナなどで回して第１および第２の金車１７1，１７2を離して図２（ｂ）に示した状態に戻したのち、新たな架線金具１１１を腕金２に取り付ける。
【００２６】
その後、作業員は、ラチェット操作により第１および第２のターンバックル１４1，１４2の上側および下側ターンバックルボルトを伸ばして架空地線１を新たな架線金具１１１に取り付ける。
【００２７】
その後、作業員は、架線金具取替・延線兼用工具１０を腕金２から取り外して作業を終了する。
【００２８】
なお、架空地線懸垂装置の架線金具取替作業および架空地線延線作業を続けて実施する箇所における架空地線１の取付角が前後で大きく違う場合には、作業員は、図３に示すように第１および第２の取付アーム１３1，１３2を曲げて水平アーム１１を支え爪１２の部分を支点として傾かせるか、第１および第２のターンバックル１４1，１４2の上側および下側ターンバックルボルトの伸縮量を変えて水平アーム１１を支え爪１２の部分を支点として傾かせたのち、架線金具取替作業および架空地線延線作業を同様にして実施する。
【００２９】
以上の説明では、第１および第２の金車１７1，１７2を同時に左右逆方向に移動させるために金車連結ボルト１８を用いたが、図４に示す金車連結ジャッキ２１を用いてもよい。
この場合には、ネジ式パンタグラフジャッキである金車連結ジャッキ２１の右上側および右下側アームの連結部を水平アーム垂直軸を中心に回転可能に第１の金車１７1に取り付け、金車連結ジャッキ２１の左上側および左下側アームの連結部を第２の金車１７2に水平アーム垂直軸を中心に回転可能に取り付け、金車連結ジャッキ２１の右上側および左上側アームの連結部をネジの上端部に水平アーム垂直軸を中心に回転可能に取り付けるとともに、金車連結ジャッキ２１の右下側および左下側アームの連結部をネジと螺合するナットに水平アーム垂直軸を中心に回転可能に取り付けて、ナットを回すことによりナットをネジの軸部に沿って移動させることにより、第１および第２の金車１７1，１７2を同時に左右逆方向に移動させる。
【符号の説明】
【００３０】
１  架空地線
２  腕金
１０  架線金具取替・延線兼用工具
１１  水平アーム
１２  支え爪
１３1，１３2  第１および第２の取付アーム
１４1，１４2  第１および第２のターンバックル
１５1，１５2  第１および第２の連結アーム
１６1，１６2  第１および第２の金車取付部材
１７1，１７2  第１および第２の金車
１８  金車連結ボルト
２１  金車連結ジャッキ
１１０  架空地線懸垂装置
１１１  架線金具
１２１  電線把持用工具
１２２  チェーンブロック
１２３  ワイヤーロープ
１３１  延線用金車
【図１】
2016103870.tif 000003
【図２】
2016103870.tif 000004
【図３】
2016103870.tif 000005
【図４】
2016103870.tif 000006
【図５】
2016103870.tif 000007